(57)【特許請求の範囲】
【請求項１】
上面部を含み、前記上面部に投入口が形成される筐体と、
前記筐体内に収容され、前記投入口を通じて衣類が投入される洗濯槽と、
ユーザにより操作される操作部を含み、前記上面部から突出するように設けられるカバー部材と、
前記投入口を塞ぐ第１状態と、前記カバー部材を跨いで前記上面部から立ち上がり、前記投入口を開く第２状態との間で動作し、前記上面部に回動可能に連結される蓋体と、
前記蓋体の前記第２状態から前記第１状態への動作を規制するように設けられる規制部材とを備え、
前記蓋体は、前記上面部に回動可能に連結される基部と、前記基部に回動可能に連結され、前記第１状態において、前記基部とともに前記投入口を塞ぐ板形状をなし、前記第２状態において、前記基部から前記投入口の側に折れ曲がる折れ曲がり部とを含み、
前記規制部材は、前記カバー部材および前記蓋体に設けられる、洗濯機。
【請求項２】
前記カバー部材は、洗濯機の幅方向に面する側面部を含み、
前記蓋体は、前記上面部からアーム状に延出し、前記第２状態において、前記側面部と洗濯機の幅方向に隣り合って位置決めされるアーム部を含み、
前記規制部材は、前記側面部および前記アーム部に設けられる、請求項１に記載の洗濯機。
【請求項３】
前記カバー部材は、鉛直上側に面する頂面部を含み、
前記蓋体は、板形状を有し、前記第２状態において、前記頂面部の上方に位置決めされる板状部を含み、
前記規制部材は、前記頂面部および前記板状部に設けられる、請求項１または２に記載の洗濯機。
【請求項４】
上面部を含み、前記上面部に投入口が形成される筐体と、
前記筐体内に収容され、前記投入口を通じて衣類が投入される洗濯槽と、
ユーザにより操作される操作部を含み、前記上面部から突出するように設けられるカバー部材と、
前記投入口を塞ぐ第１状態と、前記カバー部材を跨いで前記上面部から立ち上がり、前記投入口を開く第２状態との間で動作し、前記上面部に回動可能に連結される蓋体と、
前記蓋体の前記第２状態から前記第１状態への動作を規制するように設けられる規制部材とを備え、
前記蓋体は、前記上面部に回動可能に連結される基部と、前記基部に回動可能に連結され、前記第１状態において、前記基部とともに前記投入口を塞ぐ板形状をなし、前記第２状態において、前記基部から前記投入口の側に折れ曲がる折れ曲がり部とを含み、
前記規制部材は、前記カバー部材および前記折れ曲がり部に設けられる、洗濯機。
【請求項５】
前記蓋体に対して前記第１状態から前記第２状態に動作する方向に弾性力を付与させる弾性部材をさらに備える、請求項１から４のいずれか１項に記載の洗濯機。
【請求項６】
上面部を含み、前記上面部に投入口が形成される筐体と、
前記筐体内に収容され、前記投入口を通じて衣類が投入される洗濯槽と、
ユーザにより操作される操作部を含み、前記上面部から突出するように設けられるカバー部材と、
前記投入口を塞ぐ第１状態と、前記カバー部材を跨いで前記上面部から立ち上がり、前記投入口を開く第２状態との間で動作し、前記上面部に回動可能に連結される蓋体と、
前記蓋体の前記第２状態から前記第１状態への動作を規制するように設けられる規制部材とを備え、
前記蓋体は、前記上面部に回動可能に連結される基部と、前記基部に回動可能に連結され、前記第１状態において、前記基部とともに前記投入口を塞ぐ板形状をなし、前記第２状態において、前記基部から前記投入口の側に折れ曲がる折れ曲がり部とを含み、さらに、
前記折れ曲がり部の折れ曲がり動作に連動して、前記規制部材による前記蓋体の動作の規制状態をロック／アンロックするロック／アンロック機構部を備える、洗濯機。
【発明の詳細な説明】
【技術分野】
【０００１】
この発明は、一般的には、洗濯機に関し、より特定的には、縦型の洗濯機に関する。
【背景技術】
【０００２】
従来の洗濯機に関して、たとえば、特開２００５−１７６９０３号公報には、上蓋を開放した際に壁面の給水栓に接触することなく、かつ、手前側に容易に倒れ込んでこないように、上蓋を安定的に略垂直状態で保持することを目的とした、洗濯機が開示されている（特許文献１）。特許文献１に開示された洗濯機においては、上蓋が起立状態にあるときに上蓋が閉鎖する方向に回動しようとすると、板ばねによる負荷が加わって、上蓋の回動が静止される。
【先行技術文献】
【特許文献】
【０００３】
【特許文献１】特開２００５−１７６９０３号公報
【発明の概要】
【発明が解決しようとする課題】
【０００４】
縦型の洗濯機において、操作部を洗濯槽の投入口の後ろ側（ユーザの立ち位置から見て洗濯機の奥側）に設ける考え方がある。
【０００５】
このような洗濯機においては、衣類を投入するために洗濯槽の投入口を開くと、蓋体が操作部の直上で起立する状態とされる。この場合、ユーザが、この蓋体の起立状態において操作部を操作する場面も想定されるため、ユーザにより操作部が操作される際の安全性への配慮を高める必要がある。
【０００６】
そこでこの発明の目的は、上記の課題を解決することであり、ユーザにより操作部が操作される際の安全性への配慮を高めた洗濯機を提供することである。
【課題を解決するための手段】
【０００７】
この発明の１つの局面に従った洗濯機は、上面部を含み、上面部に投入口が形成される筐体と、筐体内に収容され、投入口を通じて衣類が投入される洗濯槽と、ユーザにより操作される操作部を含み、上面部から突出するように設けられるカバー部材と、投入口を塞ぐ第１状態と、カバー部材を跨いで上面部から立ち上がり、投入口を開く第２状態との間で動作し、上面部に回動可能に連結される蓋体と、蓋体の第２状態から第１状態への動作を規制するように設けられる規制部材とを備える。蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。規制部材は、カバー部材および蓋体に設けられる。
この発明の別の局面に従った洗濯機は、上面部を含み、上面部に投入口が形成される筐体と、筐体内に収容され、投入口を通じて衣類が投入される洗濯槽と、ユーザにより操作される操作部を含み、上面部から突出するように設けられるカバー部材と、投入口を塞ぐ第１状態と、カバー部材を跨いで上面部から立ち上がり、投入口を開く第２状態との間で動作し、上面部に回動可能に連結される蓋体と、蓋体の第２状態から第１状態への動作を規制するように設けられる規制部材とを備える。蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。規制部材は、カバー部材および折れ曲がり部に設けられる。
この発明のさらに別の局面に従った洗濯機は、上面部を含み、上面部に投入口が形成される筐体と、筐体内に収容され、投入口を通じて衣類が投入される洗濯槽と、ユーザにより操作される操作部を含み、上面部から突出するように設けられるカバー部材と、投入口を塞ぐ第１状態と、カバー部材を跨いで上面部から立ち上がり、投入口を開く第２状態との間で動作し、上面部に回動可能に連結される蓋体と、蓋体の第２状態から第１状態への動作を規制するように設けられる規制部材とを備える。蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。洗濯機は、折れ曲がり部の折れ曲がり動作に連動して、規制部材による蓋体の動作の規制状態をロック／アンロックするロック／アンロック機構部をさらに備える。
この発明のさらに別の局面に従った洗濯機は、上面部を含み、上面部に投入口が形成される筐体と、筐体内に収容され、投入口を通じて衣類が投入される洗濯槽と、ユーザにより操作される操作部を含み、上面部から突出するように設けられるカバー部材と、投入口を塞ぐ第１状態と、カバー部材を跨いで上面部から立ち上がり、投入口を開く第２状態との間で動作し、上面部に回動可能に連結される蓋体と、蓋体の第２状態から第１状態への動作を規制するように設けられる規制部材とを備える。
【０００８】
このように構成された洗濯機によれば、規制部材により蓋体の第２状態から第１状態への動作が規制されるため、ユーザにより操作部が操作される際の安全性への配慮を高めた洗濯機を実現することができる。
【０００９】
また好ましくは、規制部材は、カバー部材および蓋体に設けられる。
また好ましくは、カバー部材は、洗濯機の幅方向に面する側面部を含む。蓋体は、上面部からアーム状に延出し、第２状態において、側面部と洗濯機の幅方向に隣り合って位置決めされるアーム部を含む。規制部材は、側面部およびアーム部に設けられる。
【００１０】
また好ましくは、カバー部材は、鉛直上側に面する頂面部を含む。蓋体は、板形状を有し、第２状態において、頂面部の上方に位置決めされる板状部を含む。規制部材は、頂面部および板状部に設けられる。
【００１１】
このように構成された洗濯機によれば、規制部材を設ける対象としてカバー部材を利用することにより、簡易な構成で、蓋体の第２状態から第１状態への動作を規制することができる。
【００１２】
また好ましくは、規制部材は、上面部に対する蓋体の回動軸からその半径方向に離れた位置に設けられる。
【００１３】
このように構成された洗濯機によれば、より小さい力で、蓋体の第２状態から第１状態への動作を規制することができる。
【００１４】
また好ましくは、蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。規制部材は、カバー部材および折れ曲がり部に設けられる。
【００１５】
このように構成された洗濯機によれば、規制部材を設ける対象として折れ曲がり部を利用することにより、簡易な構成で、蓋体の第２状態から第１状態への動作を規制することができる。
【００１６】
また好ましくは、洗濯機は、筐体内に開閉可能に設けられ、洗濯槽の密閉性を高めるための内蓋部をさらに備える。規制部材は、内蓋部を開状態に保持する内蓋保持部を含む。規制部材により開状態に保持された内蓋部は、第２状態から第１状態へと動作する蓋体の軌道上に位置決めされる。
【００１７】
このように構成された洗濯機によれば、規制部材を設ける対象として内蓋部を利用することにより、簡易な構成で、蓋体の第２状態から第１状態への動作を規制することができる。
【発明の効果】
【００１８】
以上に説明したように、この発明に従えば、ユーザにより操作部が操作される際の安全性への配慮を高めた洗濯機を提供することができる。
【図面の簡単な説明】
【００１９】
【図１】この発明の実施の形態１における洗濯機を示す斜視図である。
【図２】図１中の洗濯機において、蓋体を開いた状態を示す斜視図である。
【図３】図２中の２点鎖線ＩＩＩで囲まれた範囲を拡大して示す斜視図である。
【図４】規制部材の第２具体例を示す断面図である。
【図５】規制部材の第２具体例を示す断面図である。
【図６】規制部材の第３具体例を示す断面図である。
【図７】規制部材の第３具体例を示す断面図である。
【図８】規制部材の第４具体例を示す断面図である。
【図９】規制部材の第４具体例を示す断面図である。
【図１０】規制部材の第５具体例を示す側面図である。
【図１１】規制部材の第６具体例を示す断面図である。
【図１２】規制部材の第７具体例を示す側面図である。
【図１３】規制部材の第７具体例を示す側面図である。
【図１４】規制部材の第８具体例を模式的に示す側面図である。
【図１５】規制部材の第９具体例を模式的に示す側面図である。
【図１６】この発明の実施の形態２における洗濯機を部分的に示す正面図である。
【図１７】図１６中の矢印ＸＶＩＩに示す方向から見た洗濯機を示す側面図である。
【図１８】図１７中の規制部材の別の具体例を示す側面図である。
【図１９】図１７中の規制部材の別の具体例を示す側面図である。
【図２０】この発明の実施の形態３における洗濯機を部分的に示す断面図である。
【図２１】この発明の実施の形態３における洗濯機を部分的に示す断面図である。
【図２２】この発明の実施の形態３における洗濯機を部分的に示す断面図である。
【発明を実施するための形態】
【００２０】
この発明の実施の形態について、図面を参照して説明する。なお、以下で参照する図面では、同一またはそれに相当する部材には、同じ番号が付されている。
【００２１】
（実施の形態１）
図１は、この発明の実施の形態１における洗濯機を示す斜視図である。図２は、図１中の洗濯機において、蓋体を開いた状態を示す斜視図である。
【００２２】
図１および図２を参照して、本実施の形態における洗濯機１００は、縦型の洗濯機である。洗濯機１００は、衣類を洗浄する洗濯機能を有する。洗濯機１００は、洗濯機能に加えて、乾燥機能を有してもよい。
【００２３】
洗濯機１００は、筐体２１と、洗濯槽３１と、蓋体４１と、カバー部材６１とを有する。
【００２４】
筐体２１は、全体として、縦長の略直方体形状を有し、洗濯機１００の外観をなしている。筐体２１は、上面部２２を有する。上面部２２は、筐体２１が有する複数の側面のうちの１つであり、鉛直上側に配置される上面（天面）を構成している。
【００２５】
上面部２２には、投入口２４が形成されている。投入口２４は、上面部２２に開口し、筐体２１の内外を連通させる開口部である。投入口２４は、洗濯槽３１の直上に設けられている。
【００２６】
上面部２２は、その構成部位として、前縁部２２ａ、左縁部２２ｂ、右縁部２２ｃおよび後縁部２２ｄを有する。前縁部２２ａ、左縁部２２ｂ、右縁部２２ｃおよび後縁部２２ｄは、投入口２４を中心にその四方に設けられている。前縁部２２ａは、洗濯機１００の前方側（ユーザの立ち位置側）に設けられている。左縁部２２ｂは、ユーザの立ち位置から見て、洗濯機１００の左側方側に設けられている。右縁部２２ｃは、ユーザの立ち位置から見て、洗濯機１００の右側方側に設けられている。後縁部２２ｄは、洗濯機１００の後方側（ユーザの立ち位置から見て洗濯機１００の奥側）に設けられている。
【００２７】
洗濯槽３１は、筐体２１内に収容されている。洗濯槽３１は、有底の円筒形状を有する。洗濯槽３１には、投入口２４を通じて衣類が投入される。洗濯槽３１は、衣類を洗浄するための動作を行なう。
【００２８】
カバー部材６１は、上面部２２に設けられている。カバー部材６１は、上面部２２のうちの後縁部２２ｄに設けられている。カバー部材６１は、上面部２２から突出するように設けられている。カバー部材６１は、上面部２２を正面から見た場合に、洗濯機１００の幅方向が長手方向となり、洗濯機１００の前後方向が短手方向となる略矩形形状を有する。
【００２９】
カバー部材６１には、操作ボタン６３が設けられている。操作ボタン６３は、洗濯機１００の使用に際してユーザにより操作される操作部として設けられている。ユーザにより操作ボタン６３が押下されることによって、洗濯機１００の動作内容（洗濯のコース設定や、洗いやすすぎ、脱水の時間設定など）に関する動作要求が受け付けられる。カバー部材６１には、ディスプレイ（表示部）６２がさらに設けられている。
【００３０】
カバー部材６１は、前面部６１ａを有する。前面部６１ａは、洗濯機１００の前方であって、斜め上方向に面している。操作ボタン６３およびディスプレイ部６２は、前面部６１ａに設けられている。
【００３１】
なお、本発明において操作部が設けられる形態は、上記のボタン形式に限られず、たとえば、ダイヤルやスイッチ、タッチパネル式などであってもよい。
【００３２】
蓋体４１は、上面部２２に回動可能に連結されている。蓋体４１は、後縁部２２ｄに回動可能に連結されている。上面部２２および蓋体４１は、ヒンジ機構部４４を有する。蓋体４１は、ヒンジ機構部４４によって、上面部２２に回動可能に連結されている。ヒンジ機構部４４は、たとえば、軸部と、その軸部を回転可能に支持する支持部とから構成されている。ヒンジ機構部４４は、洗濯機１００の幅方向におけるカバー部材６１の両側に設けられている。上面部２２に対する蓋体４１の回動軸は、洗濯機１００の幅方向に延びている。
【００３３】
蓋体４１は、上記のヒンジ機構部４４により、投入口２４を塞ぐ第１状態（図１中に示す状態）と、投入口２４を開く第２状態（図２中に示す状態）との間で動作する。蓋体４１は、第１状態において、投入口２４を塞ぐように上面部２２に重ね合わされている。蓋体４１は、第２状態において、カバー部材６１を跨いで上面部２２（後縁部２２ｄ）から立ち上がるように設けられている。
【００３４】
図３は、図２中の２点鎖線ＩＩＩで囲まれた範囲を拡大して示す斜視図である。図１から図３を参照して、蓋体４１の構造についてより詳細に説明する。
【００３５】
蓋体４１は、基部４２および折れ曲がり部４７が組み合わさって構成されている。蓋体４１の第１状態において、基部４２および折れ曲がり部４７は、投入口２４を塞ぐ板形状をなしている。洗濯機１００の前後方向における折れ曲がり部４７の全長は、同方向における基部４２の長さよりも小さい。
【００３６】
基部４２は、上面部２２に回動可能に連結されている。ヒンジ機構部４４は、蓋体４１のうちの基部４２に設けられている。蓋体４１の第１状態において、基部４２は、洗濯機１００の後方側で投入口２４を塞いでいる。蓋体４１の第２状態において、基部４２は、カバー部材６１を跨いで上面部２２から立ち上がっている。
【００３７】
基部４２は、その構成部位として、一対のアーム部４５と、板状部４６とを有する。基部４２は、一対のアーム部４５が柱部分をなし、その一対のアーム部４５同士が板状部４６によって接続される門型形状を有する。
【００３８】
より具体的には、板状部４６は、板形状を有する。蓋体４１の第２状態において、板状部４６は、カバー部材６１の上方に位置決めされている。一対のアーム部４５は、上面部２２に回動可能に連結されている。ヒンジ機構部４４は、基部４２のうちの一対のアーム部４５に設けられている。一対のアーム部４５は、洗濯機１００の幅方向におけるカバー部材６１の両側に設けられている。言い換えれば、カバー部材６１は、洗濯機１００の幅方向において、一対のアーム４５間に設けられている。一対のアーム部４５は、上面部２２からアーム状に延出し、板状部４６に連なっている。
【００３９】
折れ曲がり部４７は、基部４２に回動可能に連結されている。折れ曲がり部４７は、基部４２のうちの板状部４６に回動可能に連結されている。基部４２に対する折れ曲がり部４７の回動軸は、洗濯機１００の幅方向に延びている。
【００４０】
折れ曲がり部４７には、取っ手４８が設けられている。ユーザは、取っ手４８に手を掛けて、折れ曲がり部４７を引き上げながら洗濯機１００の後ろ側に押し出すことによって、蓋体４１を第１状態から第２状態に動作させる。一方、ユーザは、取っ手４８に手を掛けて、折れ曲がり部４７を引っ張ることによって、蓋体４１を第２状態から第１状態に動作させる。
【００４１】
蓋体４１を第１状態から第２状態へと動作させる際、基部４２が上面部２２から立ち上がる角度が大きくなるのに従って、折れ曲がり部４７は、基部４２に対する連結位置から投入口２４の側に山形に折れ曲がった状態に変化する。蓋体４１の第２状態において、折れ曲がり部４７は、カバー部材６１の上方で、基部４２に対する連結位置から投入口２４の側に垂れ下がった状態とされる。このとき、蓋体４１の重心は、上面部２２に対する蓋体４１の回動軸（図３中の中心軸１０１）よりも洗濯機１００の後方側に寄った位置にある。
【００４２】
このような構成を備える洗濯機１００においては、ユーザが、蓋体４１の第２状態において操作ボタン６３を操作する場面において、蓋体４１が誤って第２状態から第１状態へと動作する可能性がある。蓋体４１は、その第２状態においてカバー部材６１を避けるように設けられるため、蓋体４１の重心が高くなり易い。このため、蓋体４１が誤って第２状態から第１状態へと動作する可能性が大きくなる。そこで、本実施の形態における洗濯機１００には、蓋体４１の第２状態から第１状態への動作を規制するための規制部材が備わっている。以下、そのような規制部材の各種の具体例について説明する。
【００４３】
図３を参照して、規制部材の第１具体例として、洗濯機１００は、弾性部材７０を有する。弾性部材７０は、たとえば、コイルバネである。弾性部材７０は、上面部２２に対する蓋体４１の回動軸（図３中の中心軸１０１）の軸上に設けられている。弾性部材７０は、蓋体４１に対して第１状態から第２状態に動作する方向（図３中の矢印１１１に示す方向）の弾性力を作用させている。
【００４４】
図４および図５は、規制部材の第２具体例を示す断面図である。図中には、図３中のＩＶ−ＩＶ線上に沿った蓋体およびカバー部材の断面が示されている。図４中には、第１状態から第２状態への動作時の蓋体およびカバー部材が示され、図５中には、第２状態における蓋体およびカバー部材が示されている。
【００４５】
図４および図５を参照して、カバー部材６１は、側面部６１ｂをさらに有する。側面部６１ｂは、洗濯機１００の幅方向に面して配設されている。蓋体４１の第２状態において、蓋体４１（基部４２）のアーム部４５は、側面部６１ｂと洗濯機１００の幅方向に隣り合って位置決めされる。
【００４６】
洗濯機１００は、突部７２および凹部７１を有する。突部７２は、アーム部４５に設けられている。突部７２は、アーム部４５から洗濯機１００の幅方向に突出するように設けられている。凹部７１は、側面部６１ｂに設けられている。凹部７１は、突部７２の突出形状（本実施の形態では、球状）に対応する凹形状を有する。蓋体４１の第２状態において、突部７２が凹部７１に係合することによって、蓋体４１の第２状態から第１状態への動作が規制される。
【００４７】
なお、上記構成に限られず、アーム部４５に凹部が設けられ、側面部６１ｂに突部が設けられる構成としてもよい。
【００４８】
図６および図７は、規制部材の第３具体例を示す断面図である。図６および図７は、それぞれ、規制部材の第２具体例における図４および図５に対応する。
【００４９】
図６および図７を参照して、洗濯機１００は、磁石部７３および金属部７４を有する。磁石部７３は、側面部６１ｂに設けられている。金属部７４は、アーム部４５に設けられている。蓋体４１の第２状態において、金属部７４が磁石部７３に引き寄せられることによって、蓋体４１の第２状態から第１状態への動作が規制される。
【００５０】
なお、上記構成に限られず、アーム部４５に磁石部が設けられ、側面部６１ｂに金属部が設けられる構成としてもよい。
【００５１】
図８および図９は、規制部材の第４具体例を示す断面図である。図８および図９は、それぞれ、規制部材の第２具体例における図４および図５に対応する。
【００５２】
図８および図９を参照して、洗濯機１００は、第１突部７５および第２突部７６を有する。第１突部７５は、側面部６１ｂに設けられている。第１突部７５は、側面部６１ｂから洗濯機１００の幅方向に突出するように設けられている。第２突部７６は、アーム部４５に設けられている。第２突部７６は、アーム部４５から洗濯機１００の幅方向に突出するように設けられている。
【００５３】
蓋体４１が第１状態から第２状態へと動作する際、第２突部７６が第１突部７５を乗り越える。蓋体４１の第２状態において、第２突部７６が第１突部７５に係止されることによって、蓋体４１の第２状態から第１状態への動作が規制される。
【００５４】
なお、規制部材の第１具体例と、規制部材の第２〜第４具体例とを比較した場合、第２〜第４具体例では、規制部材が、上面部２２に対する蓋体４１の回動軸からその半径方向に離れた位置に設けられている。このような構成によれば、蓋体４１が誤って第２状態から第１状態へと動作しようとした場合に、そのような蓋体４１の動作をより小さい力で静止させることができる。
【００５５】
図１０は、規制部材の第５具体例を示す側面図である。図中には、図２中の矢印Ｘに示す方向から見た洗濯機が示されている。
【００５６】
図１０を参照して、洗濯機１００は、背もたれ部２６をさらに有する。背もたれ部２６は、上面部２２（後縁部２２ｄ）から突出するように設けられている。背もたれ部２６は、第２状態とされた蓋体４１を挟んで投入口２４の反対側に設けられている。背もたれ部２６は、第２状態とされた蓋体４１の後方で上面部２２（後縁部２２ｄ）が局所的に盛り上がった部分である。
【００５７】
洗濯機１００は、磁石部７８および金属部７７を有する。磁石部７８は、背もたれ部２６に設けられている。磁石部７８は、背もたれ部２６のうちの、洗濯機１００の前後方向において第２状態とされた蓋体４１と対向する部分に設けられている。金属部７７は、蓋体４１（基部４２）に設けられている。蓋体４１の第２状態において、金属部７７が磁石部７８に引き寄せられることによって、蓋体４１の第２状態から第１状態への動作が規制される。
【００５８】
なお、蓋体４１および背もたれ部２６に設けられる規制部材は、上記の磁石部および金属部の組み合わせに限られず、たとえば、ピン部材と、ピン部材が抜き差しされる孔との組み合わせであってもよい。以下に説明する具体例においても同様である。
【００５９】
図１１は、規制部材の第６具体例を示す断面図である。図中には、図２中のＸＩ−ＸＩ線上に沿った蓋体およびカバー部材の断面が示されている。
【００６０】
図１１を参照して、カバー部材６１は、頂面部６１ｃをさらに有する。頂面部６１ｃは、鉛直上側に面する。蓋体４１の第２状態において、頂面部６１ｃの上方には、基部４２（板状部４６）が位置決めされている。
【００６１】
洗濯機１００は、磁石部８２および金属部８１を有する。磁石部８２は、頂面部６１ｃに設けられている。金属部８１は、基部４２（板状部４６）に設けられている。蓋体４１の第２状態において、金属部８１が磁石部８２に引き寄せられることによって、蓋体４１の第２状態から第１状態への動作が規制される。
【００６２】
図１２および図１３は、規制部材の第７具体例を示す側面図である。図１２中には、第１状態から第２状態への動作時の蓋体およびカバー部材が示され、図１３中には、第２状態における蓋体およびカバー部材が示されている。
【００６３】
図１２および図１３を参照して、洗濯機１００は、ピン部８３およびピン受け入れ部８４を有する。ピン部８３は、折れ曲がり部４７に設けられている。ピン受け入れ部８４は、頂面部６１ｃに設けられている。
【００６４】
蓋体４１を第１状態から第２状態への動作させる際、折れ曲がり部４７を基部４２に近接させながら折れ曲がり動作させる。この折れ曲がり部４７の折れ曲がり動作に伴って、ピン部８３がピン受け入れ部８４に係合する。蓋体４１の第２状態において、ピン部８３がピン受け入れ部８４に係合することによって、蓋体４１の第２状態から第１状態への動作が規制される。
【００６５】
なお、上記構成に限られず、折れ曲がり部４７にピン受け入れ部が設けられ、頂面部６１ｃにピン部が設けられる構成としてもよい。
【００６６】
図１４は、規制部材の第８具体例を模式的に示す側面図である。図１５は、規制部材の第９具体例を模式的に示す側面図である。図中では、第１状態における蓋体４１が２点鎖線により示され、第２状態における蓋体４１が実線により示されている。
【００６７】
図１４および図１５を参照して、洗濯機１００は、凹部５２を有する。凹部５２は、上面部２２に設けられている。蓋体４１は、着脱部４９を有する。着脱部４９は、上面部２２に回動可能に連結される蓋体４１の下端部である。蓋体４１の第２状態において、着脱部４９が凹部５２に嵌合されることによって、蓋体４１の第２状態から第１状態への動作が規制される。一方、蓋体４１の第１状態において、着脱部４９は、凹部５２から離脱している。
【００６８】
このような構造を実現するため、図１４中に示す第８具体例では、軸部５３と、軸部５３が挿通される長孔５１とが用いられている。より具体的には、軸部５３は、筐体２１（上面部２２）に対して固定されている。軸部５３は、蓋体４１の回動に伴って移動することがない固定部品である。長孔５１は、蓋体４１側に設けられている。長孔５１は、中心軸１０１に対する半径方向が長手方向となる長孔形状を有する。蓋体４１が第１状態および第２状態の間で動作する間、軸部５３が長孔５１の長手方向に沿って移動する。
【００６９】
図１５中に示す第９具体例では、軸部５３と、軸部５３が挿通されるＶ字状孔５４とが用いられている。より具体的には、軸部５３は、蓋体４１側に設けられている。軸部５３は、蓋体４１の回動に伴って移動する移動部品である。Ｖ字状孔５４は、筐体２１（上面部２２）に対して固定される固定部品（不図示）に形成されている。Ｖ字状孔５４は、中心軸１０１の軸方向から見た場合に、略Ｖ字状に延びている。蓋体４１が第１状態および第２状態の間で動作する間、軸部５３がＶ字状孔５４に沿って移動する。
【００７０】
このように構成された、この発明の実施の形態１における洗濯機１００によれば、ユーザにより操作ボタン６３が操作される際の安全性への配慮を高めた洗濯機を実現することができる。
【００７１】
（実施の形態２）
図１６は、この発明の実施の形態２における洗濯機を部分的に示す正面図である。図１７は、図１６中の矢印ＸＶＩＩに示す方向から見た洗濯機を示す側面図である。本実施の形態における洗濯機は、実施の形態１における洗濯機１００と比較して、基本的には同様の構造を備える。以下、重複する構造については、その説明を繰り返さない。
【００７２】
図１６および図１７を参照して、本実施の形態における洗濯機２００は、衣類の洗浄機能に加えて、乾燥機能を有する。洗濯機２００は、洗濯槽３１の密閉性を高めるための内蓋部１８１をさらに有する。
【００７３】
内蓋部１８１は、筐体２１内に開閉可能に設けられている。内蓋部１８１の回動軸（図１６中の中心軸１０２）は、洗濯機１００の幅方向に延びている。内蓋部１８１の回動軸は、上面部２２に対する蓋体４１の回動軸（図１６中の中心軸１０１）よりも、洗濯機２００の前方側に位置する。内蓋部１８１は、投入口２４を塞ぐ閉状態と、投入口２４を開く開状態（図１６および図１７中に示す状態）との間で動作する。
【００７４】
内蓋部１８１は、投入口２４を開く開状態において、第２状態とされた蓋体４１の前方で起立する姿勢とされている。このとき、内蓋部１８１は、第２状態から第１状態へと動作する蓋体４１の軌道上に位置決めされている。言い換えれば、第２状態とされている蓋体４１を第１状態へと動作させようとすると、蓋体４１が、開状態とされている内蓋部１８１に干渉する。
【００７５】
洗濯機２００は、蓋体４１の第２状態から第１状態への動作を規制するための規制部材として、磁石部８６および金属部８５を有する。磁石部８６は、筐体２１に設けられている。金属部８５は、内蓋部１８１に設けられている。金属部８５が磁石部８６に引き寄せられることによって、内蓋部１８１が開状態に保持されている。開状態に保持された内蓋部１８１によって、蓋体４１の第２状態から第１状態への動作が規制される。
【００７６】
図１８および図１９は、図１７中の規制部材の別の具体例を示す側面図である。図１８中には、第２状態における蓋体および内蓋部が示されている。図１９中には、第２状態から第１状態への動作時の蓋体および内蓋部が示されている。
【００７７】
図１８および図１９を参照して、洗濯機２００は、ピン部８８およびピン受け入れ部８７を有する。ピン部８８は、内蓋部１８１に設けられている。ピン受け入れ部８７は、蓋体４１（折れ曲がり部４７）に設けられている。
【００７８】
蓋体４１の第２状態において、ピン部８８は、ピン受け入れ部８７から離れて位置決めされている。このため、内蓋部１８１を単独で開状態から閉状態へと動作させる際に、ピン部８８およびピン受け入れ部８７が妨げになることがない。蓋体４１が第２状態から第１状態へと動作するのに伴って、ピン部８８がピン受け入れ部８７に係合する。これにより、蓋体４１が内蓋部１８１に結合するため、蓋体４１の第２状態から第１状態への動作が規制される。
【００７９】
このように構成された、この発明の実施の形態２における洗濯機２００によれば、実施の形態１に記載の効果を同様に奏することができる。
【００８０】
（実施の形態３）
図２０から図２２は、この発明の実施の形態３における洗濯機を部分的に示す断面図である。図２０中には、第１状態から第２状態への動作時（折れ曲がり部４７の折れ曲がり動作時）の蓋体４１および筐体２１が示され、図２１中には、第２状態における蓋体４１および筐体２１が示され、図２２中には、第１状態における蓋体４１および筐体２１が示されている。
【００８１】
図２０から図２２を参照して、本実施の形態における洗濯機は、蓋体４１の第２状態から第１状態への動作を規制するための規制部材として、爪部品９４を有し、折れ曲がり部４７の折れ曲がり動作に連動して、規制部材による蓋体４１の動作の規制状態をロック／アンロックするロック／アンロック機構部として、コイルバネ９６およびベルト９１を有する。
【００８２】
背もたれ部２６には、開口部２７が形成されている。蓋体４１の基部４２には、開口部４３が形成されている。蓋体４１の第２状態において、開口部２７の開口面と開口部４３の開口面とは、対面する。背もたれ部２６の内部には、爪部品収容部９３が設けられている。蓋体４１の第２状態において、爪部品収容部９３と、基部４２の内部とは、開口部２７および開口部４３とを通じて連通する。爪部品収容部９３には、爪部品９４およびコイルバネ９６が配置されている。
【００８３】
爪部品９４は、その構成部位として、一対の爪部９５（９５ｐ，９５ｑ）を有する。蓋体４１の第２状態において、爪部９５ｐは、基部４２の内部に位置決めされ、爪部９５ｑは、爪部品収容部９３に位置決めされる。基部４２は、その構成部位として、開口部４３を画定する縁部４２ｊを有する。背もたれ部２６は、その構成部位として、開口部２７を画定する縁部２６ｊを有する。蓋体４１の第２状態において、縁部４２ｊおよび縁部２６ｊは、洗濯機の前後方向において互いに重ね合わされている。
【００８４】
コイルバネ９６は、爪部品９４に対して、一対の爪部９５が縁部４２ｊおよび縁部２６ｊに近接する方向の弾性力を作用させるように設けられている。縁部４２ｊおよび縁部２６ｊが一対の爪部９５に挟持されることによって、蓋体４１の第２状態から第１状態への動作が規制されている。爪部品９４による蓋体４１の動作の規制状態は、コイルバネ９６から爪部９５への弾性力の付与によってロックされている。
【００８５】
ベルト９１は、折れ曲がり部４７および基部４２の間で帯状に延びて設けられている。ベルト９１は、その帯状に延びる両端に、一方端９１ｍおよび他方端９１ｎを有する。一方端９１ｍは、折れ曲がり部４７に接続されている。他方端９１ｎは、基部４２の内部に配置されている。ベルト９１は、他方端９１ｎが爪部９５ｐと対向するように、基部４２の内部においてガイド部品９２により案内されている。
【００８６】
蓋体４１の第２状態において、他方端９１ｎは、爪部９５ｐから離間している。蓋体４１を第２状態から第１状態に動作させるため、折れ曲がり部４７を基部４２から引き起こすと、ベルト９１の他方端９１ｎが、爪部９５ｐに向けて近接移動する。ベルト９１の他方端９１ｎが、コイルバネ９６の弾性力に抗しながら爪部９５ｐを押圧することによって、縁部４２ｊおよび縁部２６ｊが爪部９５に挟持される位置から抜け出す。これにより、爪部品９４による蓋体４１の動作の規制状態が解除される。
【００８７】
ベルト９１を形成する材料は、特に限定されないが、可撓性を有するとともに、爪部９５ｐの押圧時に撓まない程度の剛性を有することが好ましい。
【００８８】
本実施の形態における洗濯機は、板ばね９７をさらに有する。板ばね９７は、爪部品収容部９３に配置されている。板ばね９７は、爪部品９４に対して、爪部品９４が開口部２７を通じて爪部品収容部９３から抜ける方向の弾性力を作用させるように設けられている。蓋体４１の第１状態において、蓋体４１（基部４２）は、板ばね９７の弾性力に抗しながら、爪部品９４を爪部品収容部９３に向けて押し込む。これにより、爪部品９４は、爪部品収容部９３の内部に収容される。
【００８９】
このように構成された、この発明の実施の形態３における洗濯機によれば、実施の形態１に記載の効果を同様に奏することができる。
【００９０】
以下、本発明の構成および作用効果についてまとめる。
この発明に従った洗濯機は、上面部を含み、上面部に投入口が形成される筐体と、筐体内に収容され、投入口を通じて衣類が投入される洗濯槽と、ユーザにより操作される操作部を含み、上面部から突出するように設けられるカバー部材と、投入口を塞ぐ第１状態と、カバー部材を跨いで上面部から立ち上がり、投入口を開く第２状態との間で動作し、上面部に回動可能に連結される蓋体と、蓋体の第２状態から第１状態への動作を規制するように設けられる規制部材とを備える。
【００９１】
このように構成された洗濯機によれば、規制部材により蓋体の第２状態から第１状態への動作が規制されるため、ユーザにより操作部が操作される際の安全性への配慮を高めた洗濯機を実現することができる。
【００９２】
また好ましくは、規制部材は、カバー部材および蓋体に設けられる。
また好ましくは、カバー部材は、洗濯機の幅方向に面する側面部を含む。蓋体は、上面部からアーム状に延出し、第２状態において、側面部と洗濯機の幅方向に隣り合って位置決めされるアーム部を含む。規制部材は、側面部およびアーム部に設けられる。
【００９３】
また好ましくは、カバー部材は、鉛直上側に面する頂面部を含む。蓋体は、板形状を有し、第２状態において、頂面部の上方に位置決めされる板状部を含む。規制部材は、頂面部および板状部に設けられる。
【００９４】
このように構成された洗濯機によれば、規制部材を設ける対象としてカバー部材を利用することにより、簡易な構成で、蓋体の第２状態から第１状態への動作を規制することができる。
【００９５】
また好ましくは、規制部材は、カバー部材および蓋体のいずれか一方に設けられる凹部と、カバー部材および蓋体のいずれか他方に設けられ、第２状態において凹部に係合される突部とを含む。
【００９６】
また好ましくは、規制部材は、カバー部材に設けられる第１突部と、蓋体に設けられ、第２状態において第１突部に係止される第２突部とを含む。
【００９７】
また好ましくは、規制部材は、カバー部材および蓋体のいずれか一方に設けられる磁石部と、カバー部材および蓋体のいずれか他方に設けられ、第２状態において磁石部に引き寄せられる金属部とを含む。
【００９８】
このように構成された洗濯機によれば、規制部材として用いる各種手段により、蓋体の第２状態から第１状態への動作を規制することができる。
【００９９】
また好ましくは、規制部材は、上面部に対する蓋体の回動軸からその半径方向に離れた位置に設けられる。
【０１００】
このように構成された洗濯機によれば、より小さい力で、蓋体の第２状態から第１状態への動作を規制することができる。
【０１０１】
また好ましくは、規制部材は、上面部に対する蓋体の回動軸に設けられ、蓋体に対して第１状態から第２状態に動作する方向の弾性力を作用させる弾性部材を含む。
【０１０２】
また好ましくは、規制部材は、上面部に設けられる凹部を含む。蓋体は、第２状態において凹部に係合され、第１状態において凹部から離脱する着脱部を有する。
【０１０３】
このように構成された洗濯機によれば、規制部材として用いる各種手段により、蓋体の第２状態から第１状態への動作を規制することができる。
【０１０４】
また好ましくは、洗濯機は、上面部から突出し、第２状態とされた蓋体を挟んで投入口の反対側に設けられる背もたれ部をさらに備える。規制部材は、背もたれ部および蓋体に設けられる。
【０１０５】
このように構成された洗濯機によれば、規制部材を設ける対象として背もたれ部を利用することにより、簡易な構成で、蓋体の第２状態から第１状態への動作を規制することができる。
【０１０６】
また好ましくは、蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。規制部材は、カバー部材および折れ曲がり部に設けられる。
【０１０７】
このように構成された洗濯機によれば、規制部材を設ける対象として折れ曲がり部を利用することにより、簡易な構成で、蓋体の第２状態から第１状態への動作を規制することができる。
【０１０８】
また好ましくは、洗濯機は、筐体内に開閉可能に設けられ、洗濯槽の密閉性を高めるための内蓋部をさらに備える。規制部材は、内蓋部を開状態に保持する内蓋保持部を含む。規制部材により開状態に保持された内蓋部は、第２状態から第１状態へと動作する蓋体の軌道上に位置決めされる。
【０１０９】
また好ましくは、洗濯機は、筐体内に開閉可能に設けられ、洗濯槽の密閉性を高めるための内蓋部をさらに備える。開状態とされた内蓋部は、第２状態から第１状態へと動作する蓋体の軌道上に位置決めされる。規制部材は、内蓋部に設けられる結合部と、蓋体に設けられ、蓋体が第２状態から第１状態へと動作するのに伴って結合部に結合される被結合部とを含む。
【０１１０】
このように構成された洗濯機によれば、規制部材を設ける対象として内蓋部を利用することにより、簡易な構成で、蓋体の第２状態から第１状態への動作を規制することができる。
【０１１１】
また好ましくは、蓋体は、上面部に回動可能に連結される基部と、基部に回動可能に連結され、第１状態において、基部とともに投入口を塞ぐ板形状をなし、第２状態において、基部から投入口の側に折れ曲がる折れ曲がり部とを含む。洗濯機は、折れ曲がり部の折れ曲がり動作に連動して、規制部材による蓋体の動作の規制状態をロック／アンロックするロック／アンロック機構部をさらに備える。
【０１１２】
このように構成された洗濯機によれば、蓋体の開閉時の操作性を損なうことなく、規制部材による蓋体の動作の規制状態をロック、アンロックすることができる。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１４】
この発明は、主に、縦型の洗濯機に適用される。
【符号の説明】
【０１１５】
２１  筐体、２２  上面部、２２ａ  前縁部、２２ｂ  左縁部、２２ｃ  右縁部、２２ｄ  後縁部、２２ｊ  縁部、２４  投入口、２６  背もたれ部、２７  開口部、３１  洗濯槽、４１  蓋体、４２  基部、４２ｊ  縁部、４３  開口部、４４  ヒンジ機構部、４５  アーム部、４６  板状部、４７  折れ曲がり部、４８  取っ手、４９  着脱部、５１  長孔、５２，７１  凹部、５３  軸部、５４  Ｖ字状孔、６１  カバー部材、６１ａ  前面部、６１ｂ  側面部、６１ｃ  頂面部、６２  ディスプレイ部、６３  操作ボタン、７０  弾性部材、７２  突部、７３，７８，８２，８６  磁石部、７４，７７，８１，８５  金属部、７５  第１突部、７６  第２突部、８３，８８  ピン部、８４，８７  受け入れ部、９１  ベルト、９１ｍ  一方端、９１ｎ  他方端、９２  ガイド部品、９３  爪部品収容部、９４  爪部品、９５，９５ｐ，９５ｑ  爪部、９６  コイルバネ、９７  板ばね、１００，２００  洗濯機、１０１，１０２  中心軸、１８１  内蓋部。
【図１】
0006755115.tif 000002
【図２】
0006755115.tif 000003
【図３】
0006755115.tif 000004
【図４】
0006755115.tif 000005
【図５】
0006755115.tif 000006
【図６】
0006755115.tif 000007
【図７】
0006755115.tif 000008
【図８】
0006755115.tif 000009
【図９】
0006755115.tif 000010
【図１０】
0006755115.tif 000011
【図１１】
0006755115.tif 000012
【図１２】
0006755115.tif 000013
【図１３】
0006755115.tif 000014
【図１４】
0006755115.tif 000015
【図１５】
0006755115.tif 000016
【図１６】
0006755115.tif 000017
【図１７】
0006755115.tif 000018
【図１８】
0006755115.tif 000019
【図１９】
0006755115.tif 000020
【図２０】
0006755115.tif 000021
【図２１】
0006755115.tif 000022
【図２２】
0006755115.tif 000023